(57)【特許請求の範囲】
【請求項１】
上部開放口および下部開放口を有する本体と、本体の上部開放口を覆うカバーと、本体内に配置し、下部開放口を通して光を照射するＬＥＤ照明灯を備え、
本体は、上部領域と下部領域とを隔てる中間壁と、上部領域の両側位置で中間壁から立ち上げた上部側壁と、下部領域の両側位置で中間壁から立ち下げた下部側壁を有し、かつ中間壁にＬＥＤ照明灯を設置するためのマウント部を有し、
マウント部は、ＬＥＤ照明灯を水平姿勢に保持する第１当接部と、ＬＥＤ照明灯をＬＥＤ照明灯の軸心廻りに傾動した傾斜姿勢に保持する第２当接部を有し、
本体は、固定対象物に当接させる一方の上部側壁に固定対象物から離間する凹部を有し、凹部において固定対象物にネジ止めすることを特徴とする屋外照明システム。
【請求項２】
本体は、固定対象物に当接させる一方の上部側壁における上部開放口の開口縁に本体側嵌合部を有し、カバーは、一側に本体側嵌合部に嵌合するカバー側嵌合部を有し、他側に本体の他方の上部側壁を覆う前垂れ部を有し、前垂れ部の下端縁が中間壁に当接することを特徴とする請求項１に記載の屋外照明システム。
【発明の詳細な説明】
【技術分野】
【０００１】
本発明は、ベランダの手摺等に固定設置する屋外照明システムに関する。
【背景技術】
【０００２】
従来、ベランダにおける屋外照明装置として、例えば特許文献１に記載するＬＥＤ照明装置がある。これは手摺りの支柱に取付金具によって補助手摺り枠を固定し、この補助手摺枠にＬＥＤ照明装置を装備するものである。補助手摺り枠は、アルミ押出形材からなるもので、下側部が全長に亘って開口した円筒状本体を有し、この円筒状本体内に一体に形成した照明装置取付用凹溝を有しており、この照明装置取付用凹溝にＬＥＤ照明装置が嵌合固定されている。このＬＥＤ照明装置は、本体ケースに複数のＬＥＤを設けたものであり、補助手摺り枠の照明装置取付用凹溝に本体ケースを抜け出し不能に固定する。
【先行技術文献】
【特許文献】
【０００３】
【特許文献１】特開２０１２−１５０９０８
【発明の概要】
【発明が解決しようとする課題】
【０００４】
しかしながら、従来の構造では、照明角度を変更する場合には、ＬＥＤを装着するマウント部の形状が異なる複数種の本体ケースを準備する必要があり、現場において適宜に照明角度を変更することはできなかった。また、補助手摺り枠は、アルミ押出形材からなる補助手摺枠が照明装置取付用凹溝を除いて閉じた空間を形成しており、円筒状本体の内側から外側に向けて取付ネジ等を配置することはできないので、支柱に円筒状本体を直接に取り付けることはできなかった。
【０００５】
このため、円筒状本体を支柱に装着する際には、別途部材としての取付金具を円筒状本体に装着する必要があり、円筒状本体の外側から内側に向けて取付ネジを取付金具および円筒状本体に挿入して円筒状本体に取付金具を固定しており、その後に取付金具を支柱にネジ止めしている。よって、円筒状本体を支柱に装着する工程において、別途部材である取付金具を必要とするとともに、工数が増加する問題があった。
【０００６】
本発明は上記した課題を解決するものであり、照明角度を多段に変更することができ、支柱等の固定対象物に対して直接的に固定することができる屋外照明システムを提供することを目的とする。
【課題を解決するための手段】
【０００７】
上記課題を解決するために、本発明の屋外照明システムは、上部開放口および下部開放口を有する本体と、本体の上部開放口を覆うカバーと、本体内に配置し、下部開放口を通して光を照射するＬＥＤ照明灯を備え、本体は、上部領域と下部領域とを隔てる中間壁と、上部領域の両側位置で中間壁から立ち上げた上部側壁と、下部領域の両側位置で中間壁から立ち下げた下部側壁を有し、かつ中間壁にＬＥＤ照明灯を設置するためのマウント部を有し、マウント部は、ＬＥＤ照明灯を水平姿勢に保持する第１当接部と、ＬＥＤ照明灯をＬＥＤ照明灯の軸心廻りに傾動した傾斜姿勢に保持する第２当接部を有し、本体は、固定対象物に当接させる一方の上部側壁に固定対象物から離間する凹部を有し、凹部において固定対象物にネジ止めすることを特徴とする。
【０００９】
また、本発明の屋外照明システムにおいて、本体は、固定対象物に当接させる一方の上部側壁における上部開放口の開口縁に本体側嵌合部を有し、カバーは、一側に本体側嵌合部に嵌合するカバー側嵌合部を有し、他側に本体の他方の上部側壁を覆う前垂れ部を有し、前垂れ部の下端縁が中間壁に当接することを特徴とする。
【発明の効果】
【００１０】
以上のように本発明によれば、マウント部に対するＬＥＤ照明灯の装着姿勢を変更することにより、照明角度の変更操作に別途の部材を要することなく、照明角度を多段に変更することができ、設置現場においても照明角度を容易に変更できる。よって、従来のように複数種の部材を用意する必要がなく、システム全体としての装置構成の簡略化とコストダウンを実現できる。
【００１１】
カバーを外した状態において本体の上部領域は上部開放口を通して開放されており、上部側壁に取付ネジを内側から外側に向けて挿入することができるので、本体を固定対象物に直接に固定することができる。よって、従来のように取付金具等の別途部材を必要とせずに、支柱等の固定対象物に装着することができ、システム全体としての装置構成の簡略化とコストダウンを実現できる。また、凹部において固定対象物にネジ止めすることにより、凹部の両側において本体が固定対象物に当接し、固定対象物に対して本体を二点支持の安定した姿勢に保持することができるとともに、取付ネジの頭で本体の上部側壁の対応部位を凹部の空間に向けて押圧することで、上部側壁の弾性変形を伴って取付ネジを固定対象物へ向けて押し込むことができ、締め付け力を増して安定した装着状態を実現できる。
【００１２】
カバーは、一側において本体の上部開放口の開口縁に嵌合し、他側において前垂れ部で本体の上部側壁に重なるので、着脱操作を容易に行うことができ、本体に装着した状態において安定した姿勢を維持できる。
【図面の簡単な説明】
【００１３】
【図１】本発明の実施の形態における屋外照明システムを示す斜視図
【図２】（ａ）は同屋外照明システムのカバーを示す断面図、（ｂ）は本体を示す断面図
【図３】同屋外照明システムにジョイナーを装着して支柱へ取り付けた状態を示し、（ａ）はＬＥＤ照明灯を傾斜配置した状態を示す断面図、（ｂ）はＬＥＤ照明灯を水平に配置した状態を示す断面図
【図４】同屋外照明システムのジョイナー部納まりを示す断面図
【図５】同ジョイナーを示し、（ａ）は正面図、（ｂ）は斜視図
【図６】同屋外照明システムにエンドキャップを装着して支柱へ取り付けた状態を示し、（ａ）はＬＥＤ照明灯を傾斜配置した状態を示す断面図、（ｂ）はＬＥＤ照明灯を水平に配置した状態を示す断面図
【図７】同屋外照明システムのエンドキャップ部納まりを示す断面図
【図８】同エンドキャップを示し、（ａ）は正面図、（ｂ）は斜視図
【図９】同屋外照明システムの電気配線レイアウトを示す模式図
【図１０】同屋外照明システムの適用例を示し、（ａ）は斜め上から見た斜視図、（ｂ）は斜め下から見た斜視図
【図１１】（ａ）〜（ｄ）は同屋外照明システムの設置位置のバリエーションを示す模式図
【図１２】（ａ）〜（ｂ）は同屋外照明システムをデッキに設置した状態を示す斜視図
【発明を実施するための形態】
【００１４】
以下、本発明の実施の形態を図面に基づいて説明する。図１から図８に示すように、本発明の屋外照明システム１は、主たる構成部材として本体２とカバー３と本体２の内部に配置する複数のＬＥＤ照明灯４からなり、他に本体２を連結するためのジョイナー５および端部に配置するエンドキャップ６を有している。
【００１５】
本体２およびカバー３はアルミの押出形材からなり、本体２は上部開放口７および下部開放口８を有し、上部開放口７を覆ってカバー９を配置している。本体２は、配線部なす上部領域１０と器具収納部をなす下部領域１１とを隔てる中間壁１２を有し、上部領域１０の両側位置に中間壁１２から立ち上げた左右の上部側壁１３、１４を有し、下部領域１１の両側位置に中間壁１２から立ち下げた下部側壁１５、１６を有している。
【００１６】
本体２の下部領域１１の内部には下部開放口８を通して光を照射する複数のＬＥＤ照明灯１７を配置しており、ＬＥＤ照明灯１７は中間壁１２の下面に設けたマウント部１８に設置している。
【００１７】
マウント部１８は、ＬＥＤ照明灯１７を固定ネジ１９で固定するための中央部１８ａと、ＬＥＤ照明灯１７の側部に当接する一側支持部１８ｂおよび他側支持部１８ｃからなる。ＬＥＤ照明灯１７を水平姿勢に保持する場合には、図３（ｂ）、図６（ｂ）に示すように、ＬＥＤ照明灯１７の底面に当接する中央部１８ａの水平面１８ｄと、ＬＥＤ照明灯１７の一側の底面に当接する一側支持部１８ｂの水平面１８ｅと、ＬＥＤ照明灯１７の他側の側端面に当接する他側支持部１８ｃの垂直面１８ｆとからなる第１当接部２０でＬＥＤ照明灯１７を支持する。
【００１８】
ＬＥＤ照明灯１７を傾斜させる場合、つまりＬＥＤ照明灯１７をＬＥＤ照明灯１７の軸心廻りに傾動した傾斜姿勢に保持する場合には、図３（ａ）、図６（ａ）に示すように、ＬＥＤ照明灯１７の一側の側端面に当接する一側支持部１８ｂの傾斜面１８ｇと、ＬＥＤ照明灯１７の他側の底面に当接する他側支持部１８ｃの角部１８ｈとからなる第２当接部２１でＬＥＤ照明灯１７を支持する。
【００１９】
また、中央部１８ａには固定ネジ１９の先端を位置決めする一対のガイド溝１８ｉ、１８ｊを設けており、一方のガイド溝１８ｉが水平姿勢時に固定ネジ１９に対応し、他方のガイド溝１８ｊが傾斜姿勢時に固定ネジ１９に対応する。
【００２０】
本体２は、屋外照明システム１を配置するベランダの支柱等の固定対象物２２に対向する面、すなわち一方の上部側壁１３に凹部２３を有している。ここでは、凹部２３の一側に中間壁１２が臨んでいるが、上部側壁１３の領域のみにおいて凹部２３を設けることも可能である。本体２における凹部２３の両側部位、つまり凹部２３に続く上部側壁１３の壁面および下部側壁１５の壁面が固定対象物２２に当接する状態において凹部２３の底面２３ａは固定対象物２２から離間している。
【００２１】
一方の上部側壁１３は凹部２３の底面２３ａに取付ネジ２４を挿入するためのネジ穴２５を有しており、他方の上部側壁１４は一方の上部側壁１３のネジ穴２５に対向する位置に取付ネジ２４の頭やネジ回し手段である電動ドライバーのビット軸が通過可能な口径の供給穴２６を有している。取付ネジ２４は、供給穴２６を通して、あるいは上部開放口７を通して本体２の上部領域１０の内部に供給され、供給穴２６を通して挿入する電動ドライバーのビットにより回転駆動され、ネジ穴２５を通して支柱２２に螺入し、凹部２３において本体２を固定対象物２２にネジ止めする。ここでは、供給穴２６を通して電動ドライバーのビット軸を挿入しているが、電動ドライバーの種類によっては、先端部を上部領域１０に挿入可能なものがあり、この場合には供給穴２６を通さずに、ビットで取付ネジ２４を回転駆動させる。
【００２２】
本体２は固定対象物２２に当接する一方の上部側壁１３の上部開放口７の開口縁に本体側嵌合部２７を有しており、カバー９は一側縁に本体側嵌合部２７に嵌合するカバー側嵌合部２８を有している。本体側嵌合部２７は一枚の刃状をなし、カバー側嵌合部２８は本体側嵌合部２７を挿入する溝状をなす。カバー９は、天面９ａが円弧状に湾曲して雨水勾配を形成し、カバー側嵌合部２８と反対側の他側縁から立ち下げる前垂れ部２９を有し、前垂れ部２９は本体２の他方の上部側壁１４を覆っており、上部側壁１４が下部側壁１６に比べて後退することで形成された段部において前垂れ部２９の下端縁が中間壁１２に当接している。
【００２３】
前垂れ部２９にはカバー止めネジ３０を挿入するカバーネジ穴３１を設けており、カバー止めネジ３０がカバーネジ穴３１を通して本体２の他方の上部側壁１４に螺入してカバー９を本体２に固定する。
【００２４】
ジョイナー５は複数の本体２を配置する場合に本体２と本体２を接続するものであり、図４、図５に示すように、本体２の端部形状よりも多少大きい板状体３２と、板状体３２の表裏両面に設けた挿入部３３を有しており、板状体３２に双方の挿入部３３を連通する連通穴３４を有している。ジョイナー５は、一方の挿入部３３を一方の本体２の上部側壁１３、１４の間に挿入して本体２の上部領域１０に配置し、他方の挿入部３３を他方の本体２の上部側壁１３、１４の間に挿入して本体２の上部領域１０に配置して双方の本体２を接続する。
【００２５】
エンドキャップ６は複数の本体２を配置する場合に先頭に配置する本体２の端部もしくは最後尾に配置する本体２の端部に配置するものであり、図７、図８に示すように、本体２の端部形状よりも多少大きい板状体３５と、板状体３５の一側面に設けた挿入部３６を有しており、挿入部３６を本体２の上部側壁１３、１４の間に挿入して本体２の上部領域１０に配置する。
【００２６】
屋外照明システム１は、図９に示すように、制御盤３７およびセンサー３８を有しており、センサー３８の出力を受けて制御盤３７が自動点灯、自動消灯の制御を行う。
（設置例）
屋外照明システム１は、例えば図１０（ａ）、（ｂ）に示すように、住居のベランダ５５に設置された手摺５６の支柱５７に固定して笠木５８の直近の下側に配置する。屋外照明システム１を配置する位置は、図１１（ａ）に示すように、ベランダ５５の手摺５６の外側で笠木５８の直近の下側に設置してもよく、図１１（ｂ）に示すように、ベランダ５５の手摺５６の内側で笠木５８の直近の下側に設置してもよく、図１１（ｃ）に示すように、ベランダ５５の手摺５６の内側で笠木５８から離れた支柱５７の中ほどに設置してもよく、図１１（ｄ）に示すように、ベランダ５５の床部５９の外側に設置してもよい。
【００２７】
あるいは図１２（ａ）、（ｂ）に示すように、ウッドデッキ６０の縁の下に設置してもよい。
以下、上記した構成の作用を説明する。例えばベランダ５５の支柱５７に屋外照明システム１を装着する場合には、カバー３を外した状態で本体２を支柱５７に固定する。本体２には予め複数のＬＥＤ照明灯４を装着しており、マウント部１８における第１当接部２０を選択して水平状態に装着するか、あるいは第２当接部２１を選択して傾斜状態に装着しておく。
【００２８】
水平状態から傾斜状態への装着姿勢の変更あるいは逆の変更は、固定ネジ１９を外し、当接部を変えて装着しなおすことで容易に行うことができる。すなわち、マウント部１８に対するＬＥＤ照明灯４の装着姿勢を変更することにより、照明角度の変更操作に別途の部材を要することなく、照明角度を多段に変更することができ、設置現場においても照明角度を容易に変更できる。よって、従来のように複数種の部材を用意する必要がなく、システム全体としての装置構成の簡略化とコストダウンを実現できる。
【００２９】
支柱５７に対する本体２の装着作業においては、図１に示すように、カバー３を外した状態の本体２の上部領域１０が上部開放口７を通して開放されている。
このため、一方の上部側壁１３の凹部２３のネジ穴２５に装着する取付ネジ２４は、供給穴２６を通して、あるいは上部開放口７を通して本体２の上部領域１０の内部に供給することが可能であり、供給穴２６を通して挿入する電動ドライバーのビットにより取付ネジ２４を回転駆動し、ネジ穴２５を通して支柱２２に螺入させ、凹部２３において本体２を固定対象物２２に取付ネジ２４でネジ止めする。
【００３０】
このように、上部側壁１３に取付ネジ２４を内側から外側に向けて挿入することができるので、本体２を固定対象物２２である支柱５７に直接に固定することができる。よって、従来のように取付金具等の別途部材を必要とせずに、支柱５７等の固定対象物２２に装着することができ、システム全体としての装置構成の簡略化とコストダウンを実現できる。
【００３１】
また、凹部２３において支柱５７にネジ止めすることにより、凹部２３の両側において本体２の上部側壁１３の壁面および下部側壁１５の壁面が支柱５７に当接し、支柱５７に対して本体２を二点支持の安定した姿勢に保持することができるとともに、取付ネジ２４の頭で本体２の上部側壁１３の対応部位を凹部２３の空間に向けて押圧することで、上部側壁１３の弾性変形を伴って取付ネジ２４を支柱２７へ向けて押し込むことができ、締め付け力を増して安定した装着状態を実現できる。
【００３２】
次に装着する本体２は、ジョイナー５を介して先に装着した本体２に連結し、上述した操作を行って支柱５７に装着し、最後の本体２にはエンドキャップ６を装着する。その後、先の本体２と後の本体２の間における配線作業を行って後に、カバー３を装着する。
【００３３】
カバー３は、一側のカバー側嵌合部２８を本体２の一方の上部側壁１３の本体側嵌合部２７に嵌合させ、他側の前垂れ部２９を本体２の他方の上部側壁１４に重ねて配置し、前垂れ部２９の下端縁を段部において中間壁１２の上面上に当接させて載置する。その後、カバー止めネジ３０をカバーネジ穴３１を通して本体２の上部側壁１４に螺入させ、カバー３を本体２に固定する。この構造を有することで、カバー３は、着脱操作を容易に行うことができ、本体２に装着した状態において安定した姿勢を維持できる。
【符号の説明】
【００３４】
１    屋外照明システム
２    本体
３    カバー
４    ＬＥＤ照明灯
５    ジョイナー
６    エンドキャップ
７    上部開放口
８    下部開放口
９    カバー
９ａ  天面
１０    上部領域
１１    下部領域
１２    中間壁
１３、１４  上部側壁
１５、１６  下部側壁
１７    ＬＥＤ照明灯
１８    マウント部
１８ａ  中央部
１８ｂ  一側支持部
１８ｃ  他側支持部
１８ｄ、１８ｅ  水平面
１８ｆ  垂直面
１８ｇ  傾斜面
１８ｈ  角部
１８ｉ、１８ｊ  ガイド溝
１９    固定ネジ
２０    第１当接部
２１    第２当接部
２２    固定対象物
２３    凹部
２３ａ  底面
２４    取付ネジ
２５    ネジ穴
２６    供給穴
２７    本体側嵌合部
２８    カバー側嵌合部
２９    前垂れ部
３０    カバー止めネジ
３１    カバーネジ穴
３２    板状体
３３    挿入部
３４    連通穴
３５    板状体
３６    挿入部
３７    制御盤
３８    センサー
５５    ベランダ
５６    手摺
５７    支柱
５８    笠木
５９    床部
６０    ウッドデッキ
【図１】
0006486067.tif 000002
【図２】
0006486067.tif 000003
【図３】
0006486067.tif 000004
【図４】
0006486067.tif 000005
【図５】
0006486067.tif 000006
【図６】
0006486067.tif 000007
【図７】
0006486067.tif 000008
【図８】
0006486067.tif 000009
【図９】
0006486067.tif 000010
【図１０】
0006486067.tif 000011
【図１１】
0006486067.tif 000012
【図１２】
0006486067.tif 000013